(57)【要約】      （修正有）【課題】光源の照明範囲の拡大と方向の変更可能なＬＥＤ電球を提供する。【解決手段】台座３０及び光透過カバー３２で構成され、台座第一端３０１に電源ソケットに螺合する口金３０３を設け、他の第二端３０４の表面部３０６に光源設置面３０５１を設けた延長部３０５を直立して設けてその間に光透過スペース３０８を形成すると共に該光源設置面の反対側に放熱フィン３０５３などの放熱備品３０５２を配置する。さらに、該光源設置面にＬＥＤモジュール３０７を設置して、台座の表面部、その延長部及びこれらで形成される光透過スペースを光透過カバー３２で被覆して密閉する。建築物の壁面に配置された電源のソケットに対して直角に下方を照明すると共に照射範囲を拡大した光源となる。【選択図】図４
0003165121.tif 000002
【実用新案登録請求の範囲】
【請求項１】
ＬＥＤモジュールを設置する台座の一端を電源に接続される結合部を具えた第一端とし、その反対端側に垂直な表面部を設けると共に該表面部から直立してＬＥＤモジュールを設置する延長部を設け、
該延長部の表面部に相対する側にＬＥＤモジュールを設置する光源設置面とし、その反対側に放熱部品を設けて、該光源設置面と台座表面部の間を光透過スペースとしたことを特徴とするＬＥＤ電球の構造。
【請求項２】
前記光源設置面及び表面部と共にその延長部を覆う光透過カバーを設けて、該ＬＥＤモジュール及び表面部及び光透過空間を該光透過カバー内に密閉したことを特徴とする請求項１記載のＬＥＤ電球の構造。
【請求項３】
前記延長部は、台座第二端から直立して設けられて、その他端は該光透過カバーに至って接続し、該光透過カバー３２の外周は表面部３０６に接続することを特徴とする請求項１記載のＬＥＤ電球の構造。
【請求項４】
前記放熱部品は、複数の放熱フィンを具有し、該延長部の一端の中心部より他端に向けて該延長部の外表面に放射線状に設置したことを特徴とする請求項３記載のＬＥＤ電球の構造。
【請求項５】
該放熱フィンは等間隔或いは不等間隔に配列して、放熱器を構成することを特徴とする請求項４記載のＬＥＤ電球の構造。
【請求項６】
前記台座一端の結合部は、電源のソケットに螺合する口金であることを特徴とする請求項１記載のＬＥＤ電球の構造。
【請求項７】
前記ＬＥＤモジュールは、複数のＬＥＤチップを具有し、該ＬＥＤチップを該光源設置面に設置することを特徴とする請求項１記載のＬＥＤ電球の構造。
【請求項８】
前記結合部の中心軸は、該ＬＥＤモジュールと光源設置面の中心軸と偏向して光源照射方向を規定することを特徴とする請求項１記載のＬＥＤ電球の構造。
【請求項９】
前記結合部の中心軸は、ＬＥＤモジュール及び光源設置面の中心軸と垂直であることを特徴とする請求項１記載のＬＥＤ電球の構造。
【考案の詳細な説明】
【技術分野】
【０００１】
本考案はＬＥＤ電球の構造に関し、特にＬＥＤモジュールの照射角度を変えることができ、照射効率を向上するＬＥＤ電球の構造に関する。
【背景技術】
【０００２】
発光ダイオード(本考案ではＬＥＤとする)の電球は、従来の電球よりも省エネ、長寿命のメリットを具え、マーケットでの普及率が次第に高くなっている。
【０００３】
図１、図２及び図３に示すように、従来技術のＬＥＤ電球構造１の構造は放熱台座１０及び該放熱台座１０と相対する光透過カバー１２からなる。該光透過カバーと相対する該放熱台座１０の一端に複数のＬＥＤチップ１３を設け、且つ、放熱部１０１及び電源ソケットに対する口金１０３を具有する。該放熱部１０１は放熱台座１０の外側の周りに設置し、該口金１０３の一端は放熱台座１０の一端と接続し、他端は対応する建築物の壁２(天井或いは内装壁面)のソケット２０に螺合する。該口金１０３の中心軸及び放熱部１０１の中心軸は同じ軸線上にあり、つまり口金１０３及び放熱部１０１の中心軸はいずれも同じ直線上にある。
【０００４】
また、図２に示すように、従来技術のＬＥＤ電球は照射の目的でほぼ天井２に設置する。しかし、今では室内或いは室外のリフォームの美観や、空間の高さ、ビジュアル及び芸術的なデザインの要請として、ユーザーは次第に従来技術のＬＥＤ電球を建築物内装の壁面２に設置し、間接照明としてビジュアル的な美観を損なわないという要望が強まっている（図３を参照）。
【０００５】
図３に示すように、従来技術のＬＥＤ電球を応用して前記内装壁面２２に設置する際、従来技術のＬＥＤも照明効果はあるが、別の問題も発生する。ＬＥＤ電球が該内装壁面２のソケット２０と螺合すると、ＬＥＤチップが壁面と平行状態になる。ＬＥＤ電球の本来の光源の特性は、直進する光であり、照射角度が約２０度と小さいため、前記ＬＥＤ電球内にあるＬＥＤチップ１３が照射する光源が前方に向けて直射(即ち光源は水平方向に照射)するため、内装壁面２の下方には、該ＬＥＤチップ１３が照射する光源をあてることができず、全体的な照射効率が悪く、またＬＥＤ電球の照射角度と範囲が制限される。
【０００６】
従来技術は１、照射効率が悪い。２、照射角度に制限がある。３、使いづらいなどのデメリットがあるため、更なる改善が必要であった。
【先行技術文献】
【特許文献】
【０００７】
【特許文献１】特開２０１０−２２５５７８号公報
【考案の概要】
【考案が解決しようとする課題】
【０００８】
前記公知構造の欠点を解決するため、本考案の第１の目的は、ＬＥＤモジュールの照射角度と照射範囲を変更できるＬＥＤ電球構造を提供することにある。本考案の第２の目的は、ＬＥＤ電球の照射効率を向上できるＬＥＤ電球構造を提供することにある。
【課題を解決するための手段】
【０００９】
上記の目的を解決するために、本考案はＬＥＤ電球構造を提供するものであり、台座及び光透過カバーで構成するＬＥＤ電球の構造である。該台座に第一端及びその反対側に第二端を具有する。該第一端は、電源に接続する結合部を具有し、該第二端は延長部と表面部を具有し、該延長部は該表面部から直立して該第二端に設ける。該延長部に光源設置面を設けてＬＥＤモジュールを設け、及び放熱部品を該光源設置面の反対側に設置する。該放熱部品を該延長部の外側表面に設け、光透過スペースを該光源設置面及び該表面部の間に形成する。前記光源設置面及び表面部に対応して光透過カバーを設け、該ＬＥＤモジュール及び表面部と光透過スペースを該光透過カバー内に密閉する。本考案の台座の延長部に設けるＬＥＤモジュール及び、光透過カバーとの組合せにより、建築物の壁のデザインを応用することで、効果的にＬＥＤモジュールの照射角度と範囲を変えることができ、ＬＥＤモジュールの照射効率を向上する。
【考案の効果】
【００１０】
本考案は表面部を遮らないよう台座から突出する延長部を設置し、該延長部にＬＥＤモジュールを設けることで、建築物の壁にあるソケットに螺合しても、ＬＥＤの光を下方に照射することができ、照射角度と範囲を変えることができ、ＬＥＤモジュールの照射効率を向上することができる。
【図面の簡単な説明】
【００１１】
【図１】ＬＥＤ電球構造の立体略図である。
【図２】従来技術の第一実施例の略図である。
【図３】従来技術の第二実施例の略図である。
【図４】本考案におけるＬＥＤ電球構造の立体略図である。
【図５】本考案における最良実施例の実施状況の組立略図である。
【図６】本考案における最良実施例の実施状況の分解略図である。
【考案を実施するための形態】
【００１２】
本考案によるＬＥＤ電球構造を明確に示すために図に沿って詳細な説明を行う。
【００１３】
図４、図５、図６に示すように、本考案はＬＥＤ電球構造３である。本考案の第一実施例では、台座３０及び光透過カバー３２を具え、該台座３０に電源に接続する口金などの結合部３０３を具えた第一端３０１を具有し、該結合部３０３は建築物の壁４(内装の壁面など)のソケット４１に固定する。
【００１４】
前記第二端３０４は、延長部３０５及び表面部３０６を具有し、該延長部３０５は表面部３０６と角度は９０度或いは９０度より小さい角度で該第二端３０４から立設して、該表面部３０６との間に空間を形成する。つまり該延長部３０５は突出した構造で該第二端３０４方面部から延長して形成され、その先端は該光透過カバー３２と接続し、該光透過カバー３２の外周は表面部３０６と接続する。
【００１５】
更に、該延長部３０５は光源設置面３０５１及び、該光源設置面３０５１の反対側に放熱部品３０５２を具有する。該光源設置面３０５１にＬＥＤモジュール３０７を設け、該ＬＥＤモジュール３０７は対応する結合部３０３と電気的に接続する。また、該ＬＥＤモジュール３０７は、複数のＬＥＤチップ３０７１を具有し、それらのＬＥＤチップ３０７１を該光源設置面３０５１に設置する。即ち、該ＬＥＤチップ３０７１は光源設置面３０５１上に形成し、且つ光透過スペース３０８内に位置する。前記光透過スペース３０８は該光源設置面３０５１及び表面部３０６の間に形成する。
【００１６】
更に、前記結合部３０３の中心軸とＬＥＤモジュール３０７及び光源設置面３０５１の中心軸は同じ軸ラインになく、即ち、結合部３０３の中心軸は該ＬＥＤモジュール３０７の中心軸及び光源設置面３０５１の中心軸と垂直であるため、前記ＬＥＤモジュール３０７の照射方向と結合部３０３の中心軸が異なる水平方向にあるため、ＬＥＤモジュール３０７の照射角度や方向及び範囲を変えることができる。
【００１７】
図４に示すように、前記放熱部品３０５２を該延長部３０５の外表面に設置し、該放熱部品３０５２は複数の放熱フィン３０５３を具有し、該放熱フィン３０５３は該延長部３０５の一端の中心部から他端に向かって、該延長部３０５の外表面に放射線状に設置し、図４に示すように、該放熱フィン３０５３は等間隔に配列して、一つの放熱器を構成する。或いは、前記放熱器の該放熱フィン３０５３の配列は等間隔でなくともよい(図に未掲載)。
【００１８】
前記光源設置面３０５１及び表面部３０６に対応して光透過カバー３２を設け、該光源設置面３０５１及びＬＥＤモジュール３０７、表面３０６及び光透過スペース３０８を該光透過カバー内に密閉することで、該光透過カバー３２が該台座３０と一体になり、ＬＥＤ電球構造３を構成する。  
【００１９】
図５、図６に示すように、該ＬＥＤ電球は結合部３０３が建築物の壁４に設置するソケット４１と螺合すると、結合部３０３の中心軸が該ＬＥＤモジュール３０７及び光源設置面３０５１の中心軸と垂直となるため、前記延長部３０５の光源設置面３０５１及び前記ＬＥＤモジュール３０７は建築物の壁４に沿って下方に直接照射する。該ＬＥＤ電球の光源の特性は直進性の光であるために、ＬＥＤ電球内のＬＥＤモジュール３０７の直進光が直接建築物の壁４の下方部分を照射することができる。よって、効果的にＬＥＤモジュール３０７の照射角度及び範囲を変えることができ、ＬＥＤ電球の照射効率を向上できるほか、ビジュアル的な美観を損なわない。  
【００２０】
本考案の延長部３０５の光源設置面３０５１及び前記ＬＥＤモジュール３０７の中心軸は結合部３０３の中心軸と垂直である構造デザインにより、前記建築物の壁４に応用すると、ユーザーは室内或いは室外の内装の間接照明のビジュアル的な美観及び空間の高さデザインのニーズに対応できるだけでなく、効果的にＬＥＤモジュール３０７の照射角度及び範囲を変えることができ、ＬＥＤモジュール３０７の照射効率を向上する。
【００２１】
本考案は従来技術に比べ、１、ＬＥＤモジュールの照射角度及び範囲を変更できる。２、ＬＥＤ電球の照射効率を向上することができるなどのメリットがある。
【００２２】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２３】
３  ＬＥＤ電球構造
３０  台座
３０１  第一端
３０３  結合部
３０４  第二端
３０５  延長部
３０５１  光源設置面
３０５２  放熱部品
３０５３  放熱フィン
３０６  表面部
３０７  ＬＥＤモジュール
３０７１  ＬＥＤチップ
３０８  光透過スペース
３２  光透過カバー
４  建築物壁
４１  ソケット
【図１】
0003165121.tif 000003
【図２】
0003165121.tif 000004
【図３】
0003165121.tif 000005
【図４】
0003165121.tif 000006
【図５】
0003165121.tif 000007
【図６】
0003165121.tif 000008